(57)【特許請求の範囲】
【請求項１】
外周に上方に向けて立ち上がり片を突設した平面視長方形状をした底板と、平面視長方形状をした上枠と、上端部が上枠に回動自在に軸支され且つ下端部が底板に回動自在に枢支された一対の長辺側の側板と、上端部又は下端部の一端部が上枠又は底板のいずれか一方に回動自在に枢支された一対の短辺側の側板とで構成され、折り畳み状態において底板上に内側に折り畳んだ長辺側の側板と短辺側の側板とが重ねられ、両長辺側の側板を起立させると共に両短辺側の側板を起立させた状態で、長辺側の側板の下端部外面及び短辺側の側板の下端部外面が底板の立ち上がり片の内側に沿って起立するようにした折り畳みコンテナであって、底板の上面部の外周に立ち上がり片の内側に沿って排水溝を形成し、該排水溝に連通した外部に排水するための排水部を設け、平面視長方形状をした上枠の対向する２辺にそれぞれ扉体を回動自在に取付け、一対の扉体の先端部を重複させ、該一対の扉体の先端部の重複部分において下重複部の上面部に端部に外部への排出部を有する排水凹溝部を形成して成ることを特徴とする折り畳みコンテナ。
【請求項２】
上重複部に嵌め込み用垂下片を突設し、該嵌め込み用垂下片を排水凹溝部の下重複部の先端側に近い側面側に偏らせて嵌め込んで成ることを特徴とする請求項１記載の折り畳みコンテナ。
【発明の詳細な説明】
【０００１】
【発明の属する技術分野】
本発明は、折り畳みコンテナにおいて内部に水が浸入するのを防止するための技術に関するものである。
【０００２】
【従来の技術】
外周に上方に向けて立ち上がり片を突設した平面視長方形状をした底板と、平面視長方形状をした上枠と、上端部が上枠に回動自在に枢支され且つ下端部が底板に回動自在に枢支された一対の長辺側の側板と、上端部又は下端部の一端部が上枠又は底板のいずれか一方に回動自在に枢支された一対の短辺側の側板とで構成され、折り畳み状態において底板上に内側に折り畳んだ長辺側の側板と短辺側の側板とが重ねられ、両長辺側の側板を起立させると共に両短辺側の側板を起立させた状態で、長辺側の側板の下端部外面及び短辺側の側板の下端部外面が底板の立ち上がり片の内側に沿って起立するようにした折り畳みコンテナが知られている。この折り畳みコンテナは、上下両端部を上枠と底板とに回動自在に枢支した長辺側の折り畳み自在な側板は組み立てる際に、内側から起立させながら、長辺側の底板の下端部の外面を底板の長辺側の立ち上がり片の内側に沿って起立させることで、起立状態において外側に倒れないようにしており、また、短辺側の側板も起立させた際に短辺側の側板の下端部外面を短辺側の立ち上がり片に沿って起立させることで、起立状態において外側に倒れないようにしている。
【０００３】
更に、上記底板の外周部において上方に突設した立ち上がり片は、折り畳んだ状態で底板上に折り畳んで重ねる側板を収納する役目をしている。
これらの理由により従来からこの種の折り畳みコンテナにおいては、底板の外周に立ち上がり片を突設するようになっている。
ところが、折り畳みコンテナを組み立てた状態で、側板に生じた結露水や、側板に付着した雨水が立ち上がり片と側板の下端部外面との間から浸入して折り畳みコンテナ内に浸入し、折り畳みコンテナ内に収納している収納物に悪影響を及ぼすという問題がある。また、折り畳みコンテナ内に収納している収納物を冷凍庫から出した場合など立ち上がり片が堤として機能してしまって、解凍液が折り畳みコンテナ内に溜まってしまい、内容物に悪影響を及ぼすという問題がある。
【０００４】
更に、折り畳みコンテナに蓋体を取付ける場合、一枚の大きな蓋を取付けると、蓋体の開閉に広いスペースが必要であり、また、側板の大きさが上枠よりも小さいと、蓋体の一端部を上枠に枢支した場合、蓋体を開いた際に側板に沿わせて垂直に垂らすことができず、蓋体が斜めになってしまって蓋体が邪魔になるという問題がある。そこで、平面視長方形状をした上枠の対向する２辺にそれぞれ扉体を回動自在に取付け、両蓋体を閉じることで、上枠の開口部を閉じるようにし、開いた場合には両側の蓋体をそれぞれ両側の側板に沿わせて垂直に垂らすことができるようにすることが考えられている。
【０００５】
ところが、このように２枚の蓋体を閉じた場合、両蓋体の先端部間から内部に水が浸入するという問題がある。
更に、両蓋体を閉じた際に、積み重ねたりすることで上方から荷重がかかると、両蓋体の先端部間が広がってしまうという問題がある。
【０００６】
【発明が解決しようとする課題】
本発明は上記の従来例の問題点に鑑みて発明したものであって、立ち上がり片と側板の下端部外面との間の隙間から水が浸入しても、この水が折り畳みコンテナ内に浸入するのが防止でき、また、２枚の蓋体の先端の重複部分から内部に水が浸入するのを確実に防止でき、更に、両蓋体を閉じた際に両蓋体の先端部間が広がらないようにできる折り畳みコンテナを提供することを課題とするものである。
【０００７】
【課題を解決するための手段】
上記本発明の課題を解決するために本発明の折り畳みコンテナは、外周に上方に向けて立ち上がり片１を突設した平面視長方形状をした底板２と、平面視長方形状をした上枠３と、上端部が上枠３に回動自在に軸支され且つ下端部が底板２に回動自在に枢支された一対の長辺側の側板４と、上端部又は下端部の一端部が上枠３又は底板２のいずれか一方に回動自在に枢支された一対の短辺側の側板５とで構成され、折り畳み状態において底板２上に内側に折り畳んだ長辺側の側板４と短辺側の側板５とが重ねられ、両長辺側の側板４を起立させると共に両短辺側の側板５を起立させた状態で、長辺側の側板４の下端部外面及び短辺側の側板５の下端部外面が底板２の立ち上がり片１の内側に沿って起立するようにした折り畳みコンテナ６であって、底板２の上面部の外周に立ち上がり片１の内側に沿って排水溝７を形成し、該排水溝７に連通した外部に排水するための排水部７ａを設け、平面視長方形状をした上枠３の対向する２辺にそれぞれ扉体８を回動自在に取付け、一対の扉体８の先端部を重複させ、該一対の扉体８の先端部の重複部分において下重複部９の上面部に端部に外部への排出部１０を有する排水凹溝部１１部を形成して成ることを特徴とするものである。このような構成とすることで、立ち上がり片１と長辺側の側板４との間又は立ち上がり片１と短辺側の側板５との間から水が浸入しても、底板２の上面部の立ち上がり片１の内側に沿って形成した排水溝７に沿って流して排水部７ａから外部に排水できて、折り畳みコンテナ６の内部に浸入しないようになっている。また、一対の蓋体８を閉じて一方の蓋体８の下重複部９の上に他方の蓋体８の上重複部１２を重ねるのであるが、該下重複部９と上重複部１２との重複部分に水が浸入しても、下重複部９の上面部に形成した排水凹溝部１１に沿って水を流して端部の排出部１０から外部に排水できて、折り畳みコンテナ６の内部に浸入しないようになっている。
【０００９】
また、上重複部１２に嵌め込み用垂下片１３を突設し、該嵌め込み用垂下片１３を排水凹溝部１１の下重複部９の先端側に近い側面側に偏らせて嵌め込むことも好ましい。このような構成とすることで、一対の扉体８間が広がろうとするのを嵌め込み用垂下片１３の排水凹溝部１１への嵌め込みにより防止することができるものであり、しかも、嵌め込み用垂下片１３を排水凹溝部１１内に嵌め込むといえども嵌め込み用垂下片１３を排水凹溝部１１の下重複部９の先端側に近い側面側に偏らせて嵌め込むことで、下重複部９と上重複部１２との重複部分に浸入した水が排水凹溝部１１内を流れるのに支障がないものであり、また、排水凹溝部１１に嵌め込まれた嵌め込み用垂下片１３によっても水のそれ以上の浸入が防止されることになる。
【００１０】
【発明の実施の形態】
以下本発明を添付図面に示す実施形態に基づいて説明する。本発明の折り畳みコンテナ６は、図３乃至図８に示すように、平面視長方形状をした底板２と、平面視長方形状をした上枠３と、上側板部１５と下側板部１６とを中間枢支部１７で折り畳み自在に枢支した一対の長辺側の側板４と、一対の短辺側の側板５とを組み立てて構成してある。
【００１１】
ここで、図９に示すように、底板２の外周部には上方に向けて立ち上がり片１が全長にわたって突出形成してある。また、底板２の上面部の立ち上がり片１の内側に沿って排水溝７が全長に形成してある。この排水溝７には任意の位置に排水孔が形成してあって、該排水孔が排水溝７から水を外部に排出するための排水部７ａとなっている。
【００１２】
図４に示すように、長辺側の側板４の上側板部１５の上端部の両側が軸１８により上枠３に回動自在に取付けてあり、また、長辺側の側板４の下側板部１６の下端部の両側が軸１９により底板２に回動自在に取付けてある。そして、この長辺側の側板４は中間枢支部１７を中心にして内側に向けてく字状に折り畳むことができるようになっており、上側板部１５と下側板部１６とが重なるように折り畳んだ状態で底板２の上面に重ねられるようになっている。したがって、底板２の上面の両側に両側の長辺側の側板４をそれぞれ折り畳んで重ねることができるように、長辺側の側板４を折り畳んだ状態では底板２の短辺側の辺の長さの略１／２以下の長さに設定してある。
【００１３】
短辺側の側板５は上端部が上枠３に回動自在に枢支してあり、折り畳む時には短辺側の側板５を回動して略水平姿勢にした状態で上記底板２の上に折り畳んで重ねている長辺側の側板４の上に重ねるようになっている。
上記のように長辺側の側板４、短辺側の側板５を折り畳んだ状態では図７、図８に示すように、底板２の外周の立ち上がり片１及び上枠３内に上記側板４、５が収納されて外部から見えないようになっている。
【００１４】
そして、一対の長辺側の側板４を展延して起立させると共に一対の短辺側の側板５を回動して起立させることで図３、図４のように折り畳みコンテナ６を容器状に組み立てるものである。この場合、図１に示すように、長辺側の側板４の上端部外面及び下端部外面はそれぞれ上枠３の内面、立ち上がり辺１の内面に近接対向し、長辺側の側板４が外側に倒れないようになっている。ここで、更に、上側板部１５と下側板部１６とを枢支する中間枢支部１７が図１のように上側板部１５の上端の外面側と下側板部１６の下端の外面側とを枢支しているので、この中間枢支部１７の構造によっても、長辺側の側板４が外側に折れるのを防止しており、更に、図２に示すように、上側板部１５の上端と下側板部１６の下端の外面側にそれぞれ折れ曲がり防止突片２０を設けて、起立姿勢において、上側板部１５の下端の折れ曲がり防止突片２０が下側板部１６の上端部内面に当接し、下側板部１６の上端の折れ曲がり防止突片２０が上側板部１５の下端部内面に当接することによっても、長辺側の側板４が外側に折れるのを防止している。
【００１５】
一方、短辺側の側板５を回動して起立させると、図２に示すように、短辺側の側板５の下端部外面が立ち上がり片１の内面に近接対向し、短辺側の側板５の下端部が外側に飛び出すのが防止してある。そして、短辺側の側板５を起立させることで、短辺側の側板５の両端部がそれぞれ両側の起立した長辺側の側板４の内面に当接し、これにより短辺側の側板５を回動して略水平姿勢にしないかぎり長辺側の側板４が内側に折り曲げられないようになっている。つまり、折り畳みコンテナ６を容器状に組み立てた状態が保持されるのである。
【００１６】
平面視長方形状をした上枠３の対向する長辺側の縁部には図２３に示すようにヒンジ部材２１によりそれぞれ蓋体８を回動自在に取付けてある。蓋体８は図１２乃至図２２に示すようなもので、対向する長辺の一方側にヒンジ部材２１の取付け部２２を有しており、他の長辺側の長辺に沿った片側半分が下重複部９となっており、他の片側半部が前方に向けて突出した突片となっていて該突片が上重複部１２となっている。下重複部９と上重複部１２との境界部分は斜めに傾斜した傾斜縁部２３となっている。
【００１７】
下重複部９の上面部は蓋体８の上面部よりも一段下方に下がっており、図１４に示すようにこの下重複部９の上面部には下重複部９の全長にわたって排水凹溝部１１が形成してあり、該排水凹溝部１１の一端部は下重複部９上において上記傾斜縁部２３に沿って下重複部９の先端まで到るように形成してある。該傾斜縁部２３に沿った排水凹溝部１１の先端は堰３５により止水してある。排水凹溝部１１の他端部は外側方に開口して排出部１０となっている。
【００１８】
上重複部１２は下重複部９にぴったりと重複することができる形状となっており、この上重複部１２の下面部は蓋体８の下面部よりも一段上方に上がっている。そして、この下重複部９の下面部に嵌め込み用垂下片１３が下重複部９の長手方向にわたって垂設してある。
上枠３の上端部の内周部には上方に向けて上突出片２４が突設してあり、一対の蓋体８を回動して上枠３の開口を閉じた状態で蓋体８の外端部に設けた垂下縁片２５が上記上突出片２４の外側に位置して上突出片２４を覆うようになっている。この場合、蓋体８に下方に向けて凹設することで排水凹溝部１１が形成されるので、この排水凹溝部１１の下面側が嵌まり込むための切欠部２７を上記上突出片２４に形成してある。したがって、排水凹溝部１１を下方に凹設しても蓋体８を閉じるのに支障がなくなったものであり、しかも該排水凹溝部１１の端部の排出部１０は上突出片２４よりも外側において外部に開口することになり、排出部１０から排出する水が折り畳みコンテナ６内に浸入することがないようにしている。
【００１９】
一対の蓋体８は互いに１８０°回転対称となるように配置されるものであり、蓋体８を閉じるには、両蓋体８をヒンジ部材２１部分を中心にして回動し、一方の蓋体８の下重複部９に他方の蓋体８の上重複部１２を重ねると共に他方の蓋体の下重複部９に一方の蓋体８の上重複部１２を重ねるものである。この場合、各上重複部１２に突設した嵌め込み用垂下片１３が排水凹溝部１１の下重複部９の先端側に近い側面側に偏らせて嵌め込まれるものである。
【００２０】
上記のような構成の本発明においては、折り畳みコンテナ６を組立てた状態で、結露水や雨水等の水が立ち上がり片１と長辺側の側板４との間又は立ち上がり片１と短辺側の側板５との間から浸入しても、この立ち上がり片１と側板との間から浸入した水は底板２の上面部の立ち上がり片１の内側に沿って形成した排水溝７に沿って流れて排水部７ａから外部に排水され、折り畳みコンテナ６の内部に浸入しないようなっている。また、折り畳みコンテナ６内に収納している収納物を冷凍庫から出した場合なども、排水凹溝部１１に沿って流して排水部７ａから外部に排水することができるものである。
【００２１】
一方、上枠３は一対の蓋体８を閉じることで、折り畳みコンテナ６の上開口を閉じるのであるが、一対の蓋体８の先端部の重複部分から水が入っても、下重複部９に設けた排水凹溝部１１に流れ込み、排水凹溝部１１内を流れて端部の排出部１０から外部に排出されることになり、したがって、蓋体８の先端部の重複部分に水が入っても、これが折り畳みコンテナ６内に浸入しないようになっている。
【００２２】
ここで、図１３に示すように、嵌め込み用垂下片１３が排水凹溝部１１に嵌め込んであるので、一対の扉体８間が広がろうとするのを嵌め込み用垂下片１３の排水凹溝部１１への嵌め込みにより防止するようになっており、しかも、嵌め込み用垂下片１３を排水凹溝部１１内に嵌め込むといえども嵌め込み用垂下片１３を排水凹溝部１１の下重複部の先端側に近い側面側に偏らせて嵌め込むことで、下重複部９と上重複部１２との重複部分に浸入した水が排水凹溝部１１内を流れるのに支障がないものである。また、排水凹溝部１１に嵌め込まれた嵌め込み用垂下片１３によっても水のそれ以上の浸入が防止されるようになっている。
【００２３】
なお、折り畳みコンテナ６を容器状に組み立てた状態で上下多段に積み重ねることができるようにしてある。このように上下に多段に積む場合には、最上段の折り畳みコンテナ６に蓋体８があればよく、他の折り畳みコンテナ６には蓋体８がない場合であってもよい。もちろん、下段の折り畳みコンテナ６にも蓋体８を設けてもよいものである。いずれにせよ折り畳みコンテナ６を容器状に組み立てたものを上下に多段に積み重ねた場合、底板２の外端部に設けた排水部７ａは上突出片２４よりも外側に位置するようになっており、立ち上がり片１と側板の外面下端部との間の隙間から浸入した水が排水溝７に流れて排水部７ａから排水される際に、上突出片２４よりも外側において外部に排出され、下段の折り畳みコンテナ６内に浸入することがないものである。
【００２４】
【発明の効果】
本発明の請求項１記載の発明にあっては、上述のように、底板の上面部の外周に立ち上がり片の内側に沿って排水溝を形成し、該排水溝に連通した外部に排水するための排水部を設けてあるので、立ち上がり片と長辺側の側板との間又は立ち上がり片と短辺側の側板との間から水が浸入しても、底板の上面部の立ち上がり片の内側に沿って形成した排水溝に沿って流して排水部から外部に排水できて、折り畳みコンテナの内部に浸入せず、折り畳みコンテナ内に収納している収納物が水でおかされず、また、折り畳みコンテナ内に収納している収納物を冷凍庫から出した場合なども、排水凹溝部に沿って流して排水部から外部に排水することができるものである。また、平面視長方形状をした上枠の対向する２辺にそれぞれ扉体を回動自在に取付け、一対の扉体の先端部を重複させ、該一対の扉体の先端部の重複部分において下重複部の上面部に端部に外部への排出部を有する排水凹溝部を形成してあるので、一対の蓋体を閉じて一方の蓋体の下重複部の上に他方の蓋体の上重複部を重ねるのであるが、該下重複部と上重複部との重複部分に水が浸入しても、下重複部の上面部に形成した排水凹溝部に沿って水を流して端部の排出部から外部に排水できて、折り畳みコンテナの内部に浸入せず、折り畳みコンテナ内に収納している収納物が水でおかされないものである。
【００２６】
また、請求項２記載の発明にあっては、上記請求項１記載の発明の効果に加えて、上重複部に嵌め込み用垂下片を突設し、該嵌め込み用垂下片を排水溝の下重複部の先端側に近い側面側に偏らせて嵌め込んであるので、一対の扉体間が広がろうとするのを嵌め込み用垂下片の排水凹溝部への嵌め込みにより防止することができるものであり、しかも、嵌め込み用垂下片を排水溝内に嵌め込むといえども嵌め込み用垂下片を排水凹溝部の下重複部の先端側に近い側面側に偏らせて嵌め込むことで、下重複部と上重複部との重複部分に浸入した水が排水凹溝部内を流れるのに支障がないものであり、また、排水凹溝部に嵌め込まれた嵌め込み用垂下片によっても水のそれ以上の浸入が防止できるものであり、この結果、折り畳みコンテナ内に収納している収納物が水でおかされないものである。
【図面の簡単な説明】
【図１】本発明の折り畳みコンテナの長辺側の側板を起立させた状態の断面図である。
【図２】同上の短辺側の側板を起立させた状態の断面図である。
【図３】同上の折り畳みコンテナを容器状に組み立てて蓋体を閉じた状態の正面図である。
【図４】同上の側面図である。
【図５】同上の蓋を閉じた状態の平面図である。
【図６】同上の蓋を開いた状態の側面図である。
【図７】同上の折り畳んだ状態の正面図である。
【図８】折り畳んだ状態の側面図である。
【図９】同上の底板の平面図である。
【図１０】図９のＡーＡ線断面図である。
【図１１】図９のＢーＢ線断面図である。
【図１２】同上の排水凹溝部による排水を説明するための蓋体を閉じた状態の平面図である。
【図１３】同上の蓋体の先端部の重ね合わせ部分における排水を説明するための一部破断した斜視図である。
【図１４】同上に用いる蓋体の平面図である。
【図１５】同上の蓋体の底面図である。
【図１６】同上の正面図である。
【図１７】同上の側面図である。
【図１８】同上の嵌め込み用垂下片の断面図である。
【図１９】同上の排水凹溝部の断面図である。
【図２０】同上の下重複と上重複部とを示す説明図である。
【図２１】図１４のＣーＣ線断面図である。
【図２２】図１４のＤーＤ線断面図である。
【図２３】同上の蓋体を上枠にヒンジ部材により取付けた部分の断面図である。
【符号の説明】
１  立ち上がり片
２  底板
３  上枠
４  長辺側の側板
５  短辺側の側板
６  折り畳みコンテナ
７  排水溝
７ａ  排水部
８  蓋体
９  下重複部
１０  排出部
１１  排水凹溝部
１２  上重複部
１３  嵌め込み用垂下片
【図１】
0003695672.tif 000002
【図２】
0003695672.tif 000003
【図３】
0003695672.tif 000004
【図４】
0003695672.tif 000005
【図５】
0003695672.tif 000006
【図６】
0003695672.tif 000007
【図７】
0003695672.tif 000008
【図８】
0003695672.tif 000009
【図９】
0003695672.tif 000010
【図１０】
0003695672.tif 000011
【図１１】
0003695672.tif 000012
【図１２】
0003695672.tif 000013
【図１３】
0003695672.tif 000014
【図１４】
0003695672.tif 000015
【図１５】
0003695672.tif 000016
【図１６】
0003695672.tif 000017
【図１７】
0003695672.tif 000018
【図１８】
0003695672.tif 000019
【図１９】
0003695672.tif 000020
【図２０】
0003695672.tif 000021
【図２１】
0003695672.tif 000022
【図２２】
0003695672.tif 000023
【図２３】
0003695672.tif 000024